(57)【要約】      （修正有） 【課題】リン本体の小型化に応じて従来より仏壇周りに必要となる占有面積が小さくて済む叩打部材を備えたリン具の提供。【解決手段】椀形状に成形されてなるリン本体１が叩打部材３により打ち鳴らされるリン具において、叩打部材は、天然石またはその人工合成石または模造石からなる略球状体４と、該略球状体を吊下可能に装着した紐状部材とを備えたリン具。【選択図】図１
0003140754.tif 000002
【実用新案登録請求の範囲】
【請求項１】
椀形状に成形されてなるリン本体が叩打部材により打ち鳴らされるリン具において、
前記叩打部材は、天然石またはその人工合成石または模造石からなる略球状体と、該略球状体を吊下可能に装着した紐状部材とを備えていることを特徴とするリン具。
【請求項２】
前記略球状体は貫通孔を有し、前記紐状部材は該貫通孔に挿通されていることを特徴とする請求項１に記載のリン具。
【請求項３】
前記天然石が、珪酸鉱物、珪酸塩鉱物、鉄鉱物、ハロゲン化鉱物、酸化鉱物、硫酸塩鉱物、炭酸塩鉱物、リン酸塩鉱物、のうちの１種を主成分とするものであることを特徴とする請求項１又は２に記載のリン具。
【請求項４】
前記天然石がモース硬度５以上であることを特徴とする請求項３に記載のリン具。
【考案の詳細な説明】
【技術分野】
【０００１】
本考案は、仏具の１つであるリン具に関するものであり、詳しくは、リン本体を打ち鳴らすための叩打部材に関するものである。
【背景技術】
【０００２】
従来から、家庭用仏壇まわりに載置される仏具の一つとして、椀形状に成形された金属製のリン本体を、リン棒と呼ばれる棒状の叩打部材で打ち鳴らすリン具が一般的に使われている。
【０００３】
一方、近年の住宅事情においては、仏壇を載置するためのスペースを大きく確保するのが困難であり、仏壇自体を小さくしたものが望まれ、多く普及している。これに伴って、仏壇周りに置かれる各種仏具も簡略化、小型化の傾向にあるため、リン本体も伝統的なものに比べて大幅に小型化したものも普及しつつある。
【０００４】
しかし、リン本体を打ち鳴らすリン棒は、通常、黒檀や紫檀、楓、楠等の木材からなる一体成形品であり、その一端側を指で握って他端側でリン本体を叩く構成であるため、指で握られた一端側が他端側の叩打の際のリン本体の振動を制限して音の響きを損なうことのないように一端から他端まである程度以上の距離が必要である。従って、上記のように、リン本体の小型化は容易であっても、リン棒を短くすることは困難であり、従来等同様に長いままのリン棒が仏壇周りに置かれることになる。
【０００５】
このようなリン棒は、全体的に断面略円形状であるため、従来から、転がりやすくて取り出しにくいところに入り込んだり仏壇から落ちてしまうこともあり、使用者に不便を感じさせる問題があった。そこで、リン本体を載置するための台座の外側に、リン棒を水平に支えることのできるリン棒置きを装着したものが考えられている（例えば、特許文献１、２参照。）。
【０００６】
【特許文献１】特開平７−２５０７５３号公報
【特許文献２】実開平７−７５７８号公報
【考案の開示】
【考案が解決しようとする課題】
【０００７】
しかしながら、上記のようなリン棒置きは、ある程度の大きさの台座を必要とすると共に、台座から突出した分、占有面積が余分に必要となるため、仏壇周りの省スペース化に相反するものであり、リン棒と共にリン本体の小型化に適応することができなかった。
【０００８】
このように、一端側の握り領域と先端側の叩打領域とからなる棒状のリン棒は、基本的に伝統的なものと同じ形態であり、装飾的に多様性を持たせるのは困難であったため、現代的なインテリアに応じて種々の形状に成形されているリン本体や他の仏具にあまりそぐわないものしかなかった。
【０００９】
本考案の目的は、上記問題点に鑑み、リン本体の小型化に応じて従来より仏壇周りに必要となる占有面積が小さくて済む叩打部材を備えたリン具を提供することにある。また本考案の別の目的は、装飾的な多様性を実現可能とする叩打部材を備えたリン具を提供することにある。
【課題を解決するための手段】
【００１０】
上記目的を達成するため、請求項１に記載の考案に係るリン具は、椀形状に成形されてなるリン本体が叩打部材により打ち鳴らされるリン具において、前記叩打部材は、天然石またはその人工合成石または模造石からなる略球状体と、該略球状体を吊下可能に装着した紐状部材とを備えているものである。
【００１１】
また請求項２に記載の考案に係るリン具は、請求項１に記載のリン具において、前記略球状体は貫通孔を有し、前記紐状部材は該貫通孔に挿通されていることを特徴とするものである。
【００１２】
さらに、請求項３に記載の考案に係るリン具は、請求項１又は２に記載のリン具において、前記天然石が、珪酸鉱物、珪酸塩鉱物、鉄鉱物、ハロゲン化鉱物、酸化鉱物、硫酸塩鉱物、炭酸塩鉱物、リン酸塩鉱物、のうちの１種を主成分とするものである。
【００１３】
また、請求項４に記載の考案に係るリン具は、請求項３に記載のリン具において、前記天然石がモース硬度５以上であることを特徴とするものである。
【考案の効果】
【００１４】
本考案によるリン具においては、椀形状に成形されてなるリン本体を打ち鳴らすための叩打部材が、天然石またはその人工合成石または模造石からなる略球状体を紐状部材に吊下可能に装着したものであるため、紐状部材の上端部を持って振り子状に軽く振って略球状体をリン本体に当てるだけで、略球状体を構成する石の重量により、リン本体の開口径に比べて格段に小さい径のものであっても適度な打撃力が得られ、充分な音量と響鳴の打音を発することができると同時に、叩打部材は不使用時にはリン本体内部に載置したり紐状部材によって別の場所に引っかけて吊しておくことができ、実質的に仏壇周りに占有面積を要さず、叩打部材のリン本体小型化への対応が容易となるという効果がある。
【考案を実施するための最良の形態】
【００１５】
本考案によるリン具は、椀形状に成形されてなるリン本体を打ち鳴らすための叩打部材が、天然石またはその人工合成石または模造石からなる略球状体を紐状部材に吊下可能に装着したものである。即ち、本考案においては、略球状体を吊り下げた状態の紐状部材の上端部を持って振り子状に軽く揺らしたり振ったりして略球状体を当てるだけでリン本体を鳴らすことができるものであり、従来の黒檀を含む各種木材より大幅に比重の大きい略球状体を構成する石の重量により、椀形状のリン本体の開口径に比べて格段に小さい径のものであっても適度な打撃力が得られ、軽く当てるだけで充分な音量と響鳴の打音を発することができる。また略球状体を揺動させるための紐状部材はリン本体の振動を制限するような悪影響をほとんど無視できるため、従来のリン棒のような長さは必要なく、略球状体を揺動できる長さがあれば充分である。
【００１６】
従って、本考案の略球状体と紐状部材からなる叩打部材は不使用時にはリン本体内部に載置することができ、また紐状部材によって別の場所に引っかけて吊しておくことも可能であり、実質的に仏壇周りに占有面積を要さないものである。しかも、略球状体の外形寸法は、叩き打ち対象のリン本体に応じて相応の音量が得られるように適宜設定するが、通常、その寸法変位はほぼ比例的となるため、従来のリン棒では困難であったリン本体の小型化への対応が容易となり、仏壇周りの省スペース化に寄与する。
【００１７】
また、本考案の叩打部材においては、実際の打部となるのが略球状体は、リン本体を打ち鳴らす際にどの向きで当ててもは点接触で当たるため、その振る方向に関係なく常に良好な打音を発することができる。また、略球状体は振り子状運動による点接触での衝突においては弾かれやすいため、その加減によっては非常に間隔の短い連打が可能であり、リン本体内部において種々の共鳴音を発することもでき、多様な音色が得られる。
【００１８】
なお、略球状体の紐状部材への装着機構としては、略球状体に貫通孔を形成しこの貫通孔に紐状部材を挿通する構成が最も簡便で好ましい。例えば、貫通孔に挿通した紐状部材を輪にして端部同士を合わせて結び止め（二重止め結び）したり、貫通孔に挿通され、貫通孔開口の一方から他方に出た紐状部材の一端部を玉結びにして抜け止めするなど、簡単な方法で装着できる。
【００１９】
紐状部材としては、良く響鳴するように略球状体をしなやかに振れてリン本体への良好な当たりが得られる可撓性を有するものであればよく、例えば、布紐、革紐、組紐等、一般的に流通、市販され、容易に手に入るものでよい。
【００２０】
また、本考案における略球状体としては、必ずしも真球状のものである必要はなく、例えば、みかん玉形状やブドウ粒形状などの果実を模したものや、その他、涙滴形状、勾玉形状など、全体的に丸みを帯びた玉状で、リン本体を打つ際にどの位置でも点接触で当たるものであれば様々な形状が採用可能である。また、全表面が曲面となるように滑らかに研磨されていれば、自然な石形状に近い所謂タンブル形状のものでもよい。
【００２１】
さらに、本考案においては、略球状体を天然石またはその人工合成石または模造石からなるものとしたため、様々な色彩、模様のものから任意に選択することができ、装飾的な多様性を持たせることができる。
【００２２】
本考案で云う人工合成石とは、天然石と同じ成分により合成されたものであり、また模造石は天然石様の外観を別の成分、たとえばプラスチックやガラス、陶器等の様々な材質で模したものである。ただし本考案の略球状体は主に真鍮等の金属製リン本体に衝突させて用いること、さらに適度な重量による打撃力で良好な響鳴の打音が得るためのものであることから、摸造石は、天然石と同程度の強度および比重が得られる材質を選択する。
【００２３】
本考案において略球状体を構成する天然石としては、色彩の美しいものや個性的なものなど多種多様なものから選択できるが、宝石となり得る高価なものを利用する必要はない。特に非常に硬度が高く加工が困難なものは製造に手間が掛かるため、適度な強度を持ちながらも加工が比較的容易で入手しやすい廉価なものが望まれる。このような条件を満たす天然石として、様々な種類のものが多数市場に流通しており、それらの中から適宜選択すれば良い。
【００２４】
また、使用者がその気分等に応じて適宜選んで使用できるように互いに色調や模様の異なる複数種の天然石からそれぞれ略球状体を成形しておく構成としてもよい。例えば、一般に半貴石と呼ばれる天然石には、適度な硬度と多彩な色調で比較的廉価に入手できるという条件を満たすものが多く存在する。
【００２５】
このような入手容易で廉価な天然石としては、珪酸鉱物、珪酸塩鉱物、鉄鉱物、ハロゲン化鉱物、酸化アルミニウム鉱物、菱マンガン鉱物、酸化鉱物、硫酸塩鉱物、炭酸塩鉱物、リン酸塩鉱物、を主成分とするものが挙げられる。これらの鉱物は、主成分の他に含有物や不純物の混入、結晶格子欠陥の色中心によって特徴的な色味を呈するものが多く、このような鉱物から様々な色調の略球状体を構成できる。
【００２６】
例えば、珪酸鉱物としては、無色透明な水晶の他に、紫水晶、黄水晶、煙水晶、黒水晶、紅水晶、緑水晶（アベンチュリン）等の色つき水晶や、石英の細かい結晶が細粒緻密な集合をなして固まった鉱物である玉髄と言われカーネリアン（紅玉髄）やクリソブレーズ（緑玉髄）、ブルーレース（青玉髄）、縞模様の明瞭は色調変化を有する瑪瑙、潜晶質石英であるジャスパー（碧玉）、オパール（蛋白石）、非結晶の黒曜石などがある。
【００２７】
珪酸塩鉱物としては、ヒスイ輝石、ネフライト（軟玉翡翠）、トルマリン（電気石）、ベリル（緑柱石）、ガーネット（柘榴石）、セラフィナイト（緑泥石）、トパーズ（黄玉）、タンザナイト（灰簾石）、ペリドット（かんらん石）、ペクトライト（曹珪灰石）、ラブラドライト（曹灰長石）、ソーダライト（方ソーダ石）、タンビュライト（ダンブリ石）、アルカリ長石のサニディン（玻璃長石）やアノーソクレース（曹微斜長石）、コーディアライト（菫青石）、アマゾナイト（天河石）、デュモルティエライト（デュモルチ石）、プレナイト（葡萄石）、また角閃石の一種である虎目石などがある。また、主に方ソーダ石族のラズーライト（青金石）とアウイン（藍方石）、ソーダライト、ノーゼライト（黝方石）との４種の鉱物の固溶体からなるラピスラズリも挙げられる。
【００２８】
また、鉄鉱物としては、ヘマタイト（赤鉄鉱）、パイライト（黄鉄鉱）があり、ハロゲン化鉱物としてはフローライト（蛍石）がある。また酸化鉱物としては、コランダム（鋼玉）、クリソベリル（金緑石）、スピネル（尖晶石）がある。
【００２９】
硫酸塩鉱物としてはセレスタイト（天青石）、炭酸塩鉱物としてはアラゴナイト（霰石）、カルサイト（方解石）、マラカイト（孔雀石）、ロードクロサイト（菱マンガン鉱）があり、リン酸塩鉱物としては、トルコ石、ラズライト（天藍石）がある。
【００３０】
また、上記の鉱物以外にも、琥珀等の植物由来の硬質物質や珊瑚等の生物由来の硬質物質からも略球状体を構成することができる。
【００３１】
なお、本考案における略球状体は、リン本体に軽い衝突とはいえ繰り返し当てられるものであるため、表面に傷が付きにくい石で構成することが望ましいことから、モース硬度５以上のものが望ましい。
【実施例】
【００３２】
本考案の一実施例によるリン具を図１および図２に示す。図１は、本リン具の全体構成図であり、図２は、叩打状態を示す模式図である。
【００３３】
本実施例によるリン具は、クッション２上に載置される椀形状の真鍮製リン本体１と、天然石の球状体４を紐状部材としての革紐６に装着してなる叩打部材３とから構成されるものである。球状体４には、貫通孔５が形成されており、この貫通孔５に革紐６を挿通して輪状にし、端部同士を合わせて二重止め結びにすることによって、球状体４が革紐６に吊下可能に装着される。
【００３４】
本実施例では、内径約４５ｍｍのリン本体１に対して、直径約１２ｍｍの球状体４を組み合わせた。また、叩打部材としては、アベンチュリン、カーネリアン、ヘマタイト、虎目石、紅水晶、の各天然石からそれぞれ加工してなる球状体４からそれぞれ４種のものを構成した。
【００３５】
これら小径の球状体４は、いずれも、一般的なリン本体に比べて小型のリン本体１に対して図２（ａ）に示すようにリン本体１を外側から打ち鳴らした場合も、また図２（ｂ）に示すようにリン本体１の内側で打ち鳴らした場合も、軽く振って当てただけで球状体４を構成する石の重みで充分に響く良好な打音が得られた。
【００３６】
また、リン本体１の内側で革紐６の上端を持ってさらに軽く振って当てると、球状体４は跳ね返り易く、自然に非常に短い間隔の連打状態となって重なる打音が得られ、音色に多様性が見られた。
【図面の簡単な説明】
【００３７】
【図１】本考案の一実施例によるリン具の全体構成を示す概略斜視図である。
【図２】本リン具の叩打状態を示す模式図であり、（ａ）はリン本体を外側から打ち鳴らす場合の状態図、（ｂ）はリン本体を内側で打ち鳴らす場合の状態図である。
【符号の説明】
【００３８】
１：リン本体
２：クッション
３：叩打部材
４：球状体
５：貫通孔
６：革紐
【図１】
0003140754.tif 000003
【図２】
0003140754.tif 000004